(57)【要約】【課題】  季節や時刻による太陽の高度差に対応し、室内全体を明るく、且つ、不自然に暗くなる時間帯を持たせないで、より高い快適性を在室者に与える採光シート及び採光積層体を提供する。【解決手段】  採光シート１は、一方の面側に複数の溝が形成され、光を透過する光透過部１１と、光透過部１１の前記複数の溝の内部に形成され、光透過部１１よりも屈折率が低い光偏向部１２と、を有し、光偏向部１２は、上部となる側に第１上辺１２ａと第２上辺１２ｂを有し、下部となる側に下辺１２ｄを有し、第１上辺１２ａと第２上辺１２ｂは、下に凸となるように接続されており、下辺１２ｄが光透過部１１の前記一方の面での法線となす角度は、１°以上６°以下であり、光偏向部１２のピッチＰに対する光偏向部１２の法線の方向の長さＤの比率は、２．５以上３．５以下であることを特徴とする。【選択図】図１
2016084752.tif 000002
【特許請求の範囲】
【請求項１】
一方の面から他方の面に光を透過する光透過部と、
前記光透過部に形成された複数の溝の内部に前記光透過部よりも屈折率が低い光偏向部と、
を有し、
前記光偏向部は、前記光偏向部が並ぶ方向の一方側に第１辺と第２辺を有し、他方側に第３辺を有し、
前記第１辺と前記第２辺は、前記光透過部側から前記光偏向部の内側に向かって凸となるように接続されている
ことを特徴とする採光シート。
【請求項２】
前記第３辺が前記光透過部の前記一方の面での法線となす角度は、１°以上６°以下であり、
前記光偏向部のピッチに対する前記光偏向部の前記法線の方向の長さの比率は、２．５以上３．５以下である
ことを特徴とする請求項１に記載の採光シート。
【請求項３】
前記光透過部の前記一方の面での法線となす入射角が１０°以上６０°以下の光に対して前記光偏向部が反射する光のうち、最も強く反射する光の前記光透過部の前記一方の面での法線となす角度は、１°以上３５°以下である
ことを特徴とする請求項１又は２に記載の採光シート。
【請求項４】
前記第１辺の前記光透過部の前記一方の面での法線となす角度は、１０°以上１２．５°以下であり、
前記第２辺の前記光透過部の前記一方の面での法線となす角度は、−１．５°以上２．５°以下である
ことを特徴とする請求項１乃至３のいずれか１項に記載の採光シート。
【請求項５】
光を透過するシート状の基材層と、
前記基材層の一方の面に形成される請求項１乃至４のいずれか１項に記載の採光シートと、
を備える
ことを特徴とする採光積層体。
【請求項６】
前記基材層の他方の面側に形成されたハードコート層と、
前記採光シートの前記基材層とは反対の面側に形成された接着層と、
を備える
ことを特徴とする請求項５に記載の採光積層体。
【発明の詳細な説明】
【技術分野】
【０００１】
本発明は、日光等の外光を採り入れるための採光シート及び採光積層体に関する。
【背景技術】
【０００２】
いわゆる窓ガラスにより、建物の内部に日光等の外光を採り入れて明るく快適な室内空間を形成することはよく知られている。しかし一方で当該窓ガラスに入射した外光をそのまま室内に採り入れると、まぶしさを感じる等の不具合を生じることもある。これに対して、直射日光を制御してより快適な態様で室内側に採り入れる技術がいくつか提案されている。【０００３】
特許文献１及び２には、太陽光の直射（直達光）を抑制するとともに効率よく採光でき、室内側から室外側を見ることが可能な採光シートが開示されている。
【先行技術文献】
【特許文献】
【０００４】
【特許文献１】特開２０１４−１１９７３７号公報
【特許文献２】特開２０１４−１１９７３８号公報
【発明の概要】
【発明が解決しようとする課題】
【０００５】
本発明は、生産性と採光性能を両立させると共に、季節や時刻による太陽の高度差に対応し、室内全体を明るく、且つ、不自然に暗くなる時間帯を持たせないで、より高い快適性を在室者に与える採光シート及び採光積層体を提供する。
【課題を解決するための手段】
【０００６】
本発明にかかる採光シートは、
一方の面から他方の面に光を透過する光透過部と、
前記光透過部に形成された複数の溝の内部に前記光透過部よりも屈折率が低い光偏向部と、
を有し、
前記光偏向部は、前記光偏向部が並ぶ方向の一方側に第１辺と第２辺を有し、他方側に第３辺を有し、
前記第１辺と前記第２辺は、前記光透過部側から前記光偏向部の内側に向かって凸となるように接続されている
ことを特徴とする。【０００７】
本発明にかかる採光シートは、
前記第３辺が前記光透過部の前記一方の面の法線となす角度は、１°以上６°以下であり、
前記光偏向部のピッチに対する前記光偏向部の前記法線の方向の長さの比率は、２．５以上３．５以下である
ことを特徴とする。【０００８】
本発明にかかる採光シートは、
前記光透過部の前記一方の面での法線となす入射角が１０°以上６０°以下の光に対して前記光偏向部が反射する光のうち、最も強く反射する光の前記光透過部の前記一方の面での法線となす角度は、１°以上３５°以下である
ことを特徴とする。【０００９】
本発明にかかる採光シートは、
前記第１辺の前記光透過部の前記一方の面での法線となす角度は、１０°以上１２．５°以下であり、
前記第２辺の前記光透過部の前記一方の面での法線となす角度は、−１．５°以上２．５°以下である
ことを特徴とする。【００１０】
本発明にかかる採光積層体は、
光を透過するシート状の基材層と、
前記基材層の一方の面側に形成される前記採光シートと、
を備える
ことを特徴とする。【００１１】
本発明にかかる採光積層体は、
前記基材層の他方の面側に形成されたハードコート層と、
前記採光シートの前記基材層とは反対の面側に形成された接着層と、
を備える
ことを特徴とする。
【発明の効果】
【００１２】
本発明の採光シート及び採光積層体によれば、生産性と採光性能を両立させると共に、季節や時刻による太陽の高度差に対応し、室内全体を明るく、且つ、不自然に暗くなる時間帯を持たせないで、より高い快適性を在室者に与えることが可能となる。
【図面の簡単な説明】
【００１３】
【図１】採光シート１の一部を拡大した図を示す。
【図２】本実施形態の跳ね上げる光を説明する図を示す。
【図３】本実施形態の採光シートの１つの光路例を示す。
【図４】本実施形態の採光シートの他の光路例を示す。
【図５】本実施形態の採光シートの光偏向部の変形例を示す。
【図６】本実施形態の採光積層体の層構成を模式的に示す。
【図７】本実施形態の採光積層体の１つの光路例を示す。
【図８】本実施形態の採光積層体の他の光路例を示す。
【図９】本実施形態の採光積層体の他の例の層構成を模式的に示す。
【図１０】本実施形態の採光シートを合わせガラスに適用した例を模式的に示す。
【図１１】本実施形態の採光積層体を合わせガラスに適用した例を模式的に示す。
【発明を実施するための形態】
【００１４】
以下、本発明を図面に示す実施形態に基づき説明する。
【００１５】
図１は、採光シート１の一部を拡大した図を示す。なお、図１の紙面左が室外側、紙面右が室内側、紙面上方が天側、紙面下方が地側となる。図２は、本実施形態の跳ね上げる光を説明する図を示す。
【００１６】
採光シート１は、光透過部１１と、光偏向部１２と、を有する。
【００１７】
光透過部１１は、光を透過する部位であり、採光シート１のうち光透過部１１が配置された部位における両面は略平行に形成されている。面は平滑であっても、非平滑であってもよい。平滑であればこれによって、採光シート１を通した景色が見やすくなる。また、特に室内側が非平滑であれば基材層との接触面積を増やし密着性を向上することが出来るし、出射光を散乱させ回折像が軽減する、また軽減や採光シート１を通した景色が見えにくくなりプライバシー性が向上する。光透過部１１は光を散乱させることなく透過することが好ましい。これにより背面側の景色の見やすさが向上する。また、散乱により反射面への入射角が全反射角から外れることによる採光性能の低下を抑えることができる。ここに「光を散乱させることなく透過する」とは、意図的に散乱させる材料等を添加することなく形成された部位であることを意味し、材料中を光が透過するときに不可避的に散乱が生じることは許容される。
【００１８】
本実施形態では光透過部１１は、図１に示す断面で２つの光偏向部１２間において略台形の断面を有しており、室外側が短い上底、室内側が長い下底であり光偏向部１２との界面を構成する辺が脚部となっている。ただし、脚部は後述する光偏向部１２の形状に沿った形状となるので、必ずしも一直線ではない。
【００１９】
光透過部１１を構成する材料としては、例えば、アクリル、スチレン、ポリカーボネート、ポリエチレンテレフタレート、アクリロニトリル等の１つ以上を主成分とする透明樹脂や、エポキシアクリレートやウレタンアクリレート系の反応性樹脂（電離放射線硬化型樹脂等）を挙げることができる。
【００２０】
ここで光透過部１１を構成する材料の屈折率は、原材料の汎用性から１．５８以上１．６１以下の範囲が好ましく、１．５９以上１．６０以下であることがより好ましい。屈折率がこれより低いと、十分な採光性能が得られない可能性がある。また、屈折率がこれより高いと、材料選定の観点から密着性、成型性に問題が生じる恐れがある。
【００２１】
光偏向部１２は、隣り合う２つの光透過部１１間に形成される部位である。すなわち、上記したように光透過部１１はシート面に沿った方向に所定の間隔で並列され、光透過部１１間には、所定の形状を有する凹部が形成されている。本実施形態における凹部は、後述する光偏向部１２の断面形状に応じた断面形状を有する溝であり、ここに光偏向部１２を構成する材料が充填されることにより光偏向部１２が形成されている。従って光偏向部１２は凹部に基づいた断面形状を具備している。
【００２２】
光偏向部１２は、ここに照射された光を全反射して偏向可能に構成された層である。そのため、光偏向部１２は光透過部１１よりも屈折率が低い材料が充填されている。これによれば、光偏向部１２と光透過部１１との屈折率差、及びその界面に入射する光の角度の関係により、該入射した光が全反射条件を満たせばここでその光を全反射して偏向することができる。後で詳しく説明するが、偏向された光は、その向きが変わり、例えば天井に照射されるなどしてまぶしさを与える直達光でなくなることができる。光偏向部１２を形成する材料の屈折率は原材料の汎用性から１．４５以上１．５１以下の範囲が好ましく、１．４６以上１．４９以下であることがより好ましい。
【００２３】
また、そのときにおける光透過部１１と光偏向部１２との屈折率差は、０．０７以上が好ましく、０．１以上がより好ましい。
【００２４】
さらに、本実施形態では光偏向部１２は次のような形状を備えている。
【００２５】
光偏向部１２は、多角形状を有している。そのうち、上部となる側は２つの辺１２ａ、１２ｂが室内外方向に連続するように配置され下に凸になるように形成されている。すなわち、室外側に第１上辺１２ａ、室内側に第２上辺１２ｂが配置される。言い換えれば、光偏向部１２が並ぶ方向の一方側に第１上辺１２ａと第２上辺１２ｂを有し、他方側に下辺１２ｄを有し、第１上辺１２ａと第２上辺１２ｂは、光透過部１１側から光偏向部１２の内側に向かって凸となるように接続されている。なお、第１上辺１２ａは第１辺を構成し、第２上辺１２ｂは第２辺を構成し、下辺１２ｄは、第３辺を構成する。
【００２６】
これら第１上辺１２ａ及び第２上辺１２ｂは、図１に表された姿勢とされたとき、その傾斜角が水平面（採光シート１のシート面の法線）に対してそれぞれ異なる角度θU1及びθU2を具備している。ここで、θU1及びθU2は室外側（太陽側）に向けて上となるように傾斜し、θU1はθU2より大きな角度とされる。これにより、季節や時間により異なる太陽の高度を考慮し、太陽光を光透過部１１と光偏向部１２との界面で全反射して偏向することができる場面を拡大することができる。従って、角度θU1及び角度θU2もかかる観点から決められることが好ましい。
【００２７】
本実施形態では、迎角θINを１０°以上６０°以下に設定し、その時の各迎角θINにおける跳ね上げ角度θOUTのうち最も強く跳ね上げる光の角度が１°以上３５°以下となるように採光シート１を形成する。跳ね上げ角度θOUTは、室外から入射した光が室内に跳ね上がる角度θOUTであって、以下の表１に示すように、室内の明るさの均一性を判定するものである。なお、跳ね上げる光の角度は、例えば測定機器として三次元変角分光測色システムＧＣＭＳ−１１（村上色彩）を用いる。そして、図２に示すように、方位角０°として入射角１０°〜６０°の任意の角度からサンプルに入射した入射光ＬINに対し、出射した０°〜７０°の出射光ＬINの輝度を１°間隔で測定する。そして、輝度が最も大きい値の光を最も強く跳ね上げる光とする。
【表１】
2016084752.tif 000003
ここで、○は室内全体が均一に明るくなっていると感じる場合、△は室内全体が明るくなっているが一部暗いと感じる場合、×は明るいと感じる部分が室内全体半分以下の場合を示す。
【００２８】
本実施形態では、第１上辺１２ａの角度θU1は１０°以上１２．５°以下、第２上辺１２ｂの角度θU2は−１．５°以上２．５°以下とする。
【００２９】
このような角度に設定することによって、季節や時刻による太陽の高度差に対応し、室内への跳ね上げ角度θOUTのうち最も強く跳ね上げる光の角度を一定の範囲に保持することができ、室内全体を明るく、且つ、不自然に暗くなる時間帯を持たせないで、より高い快適性を在室者に与えることが可能となる。
【００３０】
第１上辺１２ａの角度θU1が１０°より小さい場合、高入射角の光を跳ね上げることが困難となる。また、第１上辺１２ａの角度θU1が１２．５°より大きい場合、４０°付近に跳ね上げの弱い入射角が存在する。
【００３１】
第２上辺１２ｂの角度θU2が−１．５°より小さい場合、金型の作製や成型時の離型性等の製造面で不具合が生じるおそれがある。また、第２上辺１２ｂの角度θU2が２．５°より大きい場合、入射角１０°以下の光を跳ね上げることが困難となる。
【００３２】
一方、第１上辺１２ａ及び第２上辺１２ｂとは反対側となる下部となる側の下辺１２ｄは、その傾斜角が水平面、すなわち透過部１１の表面での法線に対してθDとされている。θDは、製造の観点から１°以上６°以下とすることが好ましい。
【００３３】
光偏向部１２が並列されるピッチＰは特に限定されないが、１０μｍ以上２００μｍ以下であることが好ましい。光偏向部１２のピッチＰが狭すぎると微細形状になるので製造の際に加工が困難になる。一方、光偏向部１２のピッチＰが広すぎると、金型で成形する際に材料の離型性が低下する傾向にある。
【００３４】
また、光偏向部１２の断面のうち、室外側、すなわち光透過部１１間の凹部の開口側）の大きさは特に限定されないが、５μｍ以上１５０μｍ以下であることが好ましい。この幅が狭すぎると微細形状になるので加工が困難になる。一方、この幅が広すぎると金型で成形する際に材料の離型性が低下する傾向にある。
【００３５】
光偏向部１２の厚さ方向の長さ（図１の紙面左右方向）は特に限定されないが、１０μｍ以上２００μｍ以下であることが好ましい。これが短すぎると、光偏向部２５の加工自体が困難になる虞がある。一方、これが長すぎると光偏向部２５を形成するための金型の製造、及び金型からの材料の離型性が低下し、生産性が悪くなるおそれがある。
【００３６】
また、光偏向部１２のピッチＰに対する透過部１１の表面での法線方向の長さである光偏向部１２のアスペクト比Ｒａは、２．５以上３．５以下であることが好ましい。このようなアスペクト比Ｒａとすることによって、生産性と最高性能を両立することが可能となる。
【００３７】
以上説明した採光シート１の主要な光路について説明する。なお、説明に必要な光路例は概念的なものであり、屈折、反射の程度等を厳密に表したものではない。
【００３８】
図３は、本実施形態の採光シート１の１つの光路例を示す。
【００３９】
図３に示す光ＬS1はそのときの太陽高度に基づいて入射角（水平面からなす角）θIN1で採光シート１に照射される。採光シート１に入射した光ＬS1は、光透過部１１内に屈折して入射する。光透過部１１を透過した光ＬS1は、光透過部１１と光偏向部１２との界面のうち第２上辺１２ｂに達する。このとき、全反射臨界角以上であれば図３のように界面で全反射する。これにより太陽光が偏向されて、室内奥まで光を採光し、また、まぶしさの原因となる直達光を抑制することが可能となる。
【００４０】
図４は、本実施形態の採光シート１の他の光路例を示す。
【００４１】
図４に示す光ＬS2はそのときの太陽高度に基づいて入射角（水平面からなす角）θIN2で採光シート１に照射される。採光シートに入射した光ＬS2は、光透過部１１内に屈折して入射する。光透過部１１を透過した光ＬS2は、光透過部１１と光偏向部１２との界面のうち第１上辺１２ａに達する。このとき、全反射臨界角以上であれば図４のように界面で全反射する。第１上辺１２ａで全反射した光ＬS1は、再び光透過部１１を透過し、光透過部１１と光偏向部１２との界面のうち第２上辺１２ｂに達する。このとき、全反射臨界角以上であれば図３のように界面で全反射する。これにより太陽光が偏向されて、室内奥まで光を採光し、また、まぶしさの原因となる直達光を抑制することが可能となる。
【００４２】
すなわち、図４に示す例では光透過部１１と光偏向部１２との界面の第１上辺１２ａと第２上辺１２ｂで２回太陽光を全反射して偏向し、まぶしさの原因となる直達光を防止している。
【００４３】
以上からわかるように、採光シート１によれば、第１上辺１２ａの傾斜角θU1と第２上辺１２ｂの傾斜角θU2がθU1＞θU2の関係を有していれば、光ＬS1、ＬS2のように進行角が異なる太陽光の少なくとも一部を全反射で偏向させて室内側に提供することができ、太陽光の室内への入射量を大きく減じることなく、かつ、少なくとも一部の直達光（いわゆる直射日光）をなくすことが可能となる。これにより明るく、快適な室内空間を形成することができる。
【００４４】
図５は、本実施形態の採光シート１の光偏向部の変形例を示す。
【００４５】
図５に示す例では、光偏向部１２のうち、光透過部１１間に形成される溝の開口側辺１２ｆ（本実施形態では室外側に面する辺）が窪んだ形状に形成されている。
【００４６】
また、全反射した光を散乱させる観点から光偏向部１２と光透過部１１との界面を微小な凹凸が無数に形成された面であるマット面としてもよい。
【００４７】
なお、本実施形態では下辺１２ｄ側を一直線としたが、下部となる側の辺の形態はこれに限られることなく、上部となる側の辺と同様に複数の角度からなる辺で形成してもよい。
【００４８】
次に、本実施形態の採光シート１を用いた採光積層体２をパネル３に貼合した例について説明する。
【００４９】
図６は、本実施形態の採光積層体２の層構成を模式的に示す。
【００５０】
図６では採光積層体２のパネル面が鉛直になる姿勢で表されており、図６の紙面左が室外側、紙面右が室内側、紙面上方が天側、紙面下方が地側となる。
【００５１】
採光積層体２は、室内側からハードコート層２１、基材層２２、採光シート１、及び接着層２３を備え、パネル３の室内側面に貼合される。以下、これらの各層について説明する。
【００５２】
パネル３は、ガラスパネルや樹脂パネル等、通常の建物や乗り物の窓等に用いられる透光性を有する板状の透光パネルである。従って、パネル３を構成する部材としては公知の板ガラスや樹脂板を用いることができる。
【００５３】
ハードコート層２１は、表面保護を目的として、採光シート１のうちパネル３とは反対側の最表面に設けられる層である。ハードコート層２１は透明な樹脂層として形成することができ、擦り傷、表面汚染に対する耐性の観点から、硬化性樹脂が硬化してなる樹脂硬化層として形成することが好ましい。
【００５４】
具体的には電離放射線硬化性樹脂、その他公知の硬化性樹脂等を要求性能に応じて適宜採用すればよい。電離放射線硬化性樹脂としては、アクリレート系、オキセタン系、シリコーン系等が挙げられる。例えば、アクリレート系の電離放射線硬化性樹脂は、単官能（メタ）アクリレートモノマー、２官能（メタ）アクリレートモノマー、３官能以上の（メタ）アクリレートモノマーなどの（メタ）アクリル酸エステルモノマー、ウレタン（メタ）アクリレート、エポキシ（メタ）アクリレート、ポリエステル（メタ）アクリレート等の（メタ）アクリル酸エステルオリゴマー乃至は（メタ）アクリル酸エステルプレポリマーなどからなる。さらに３官能以上の（メタ）アクリレートモノマーを例示すれば、トリメチロールプロパントリ（メタ）アクリレート、ペンタエリスリトールテトラ（メタ）アクリレート、ジペンタエリスリトールヘキサ（メタ）アクリレート等がある。
【００５５】
また、ハードコート層２１には、耐汚染性向上の機能を追加してもよい。これは例えばシリコーン系化合物、フッ素系化合物などを添加することにより可能となる。さらにその他の機能として光散乱機能、帯電防止性向上、撥水性向上の機能を有するものとしてもよい。
【００５６】
光散乱機能付与のために層内に球状粒子を含むものを挙げることができる。球状粒子としては、シリカ、炭酸カルシウム、アクリル等の中空粒子や、酸化チタン、硫酸バリウム、酸化マグネシウム、アクリルビーズ、ウレタンビーズ等を用いることができる。これらの球状粒子を樹脂に適宜分散して形成することができる。球状粒子は層内で樹脂硬化層との屈折率差で光散乱機能を発現しても、頭出しして空気界面で光散乱機能を発現してもよい。可視域の光を効率良く拡散させるために、球状粒子の直径を２００ｎｍ〜５０μｍの範囲のものを主に用いることが好ましい。
【００５７】
帯電防止性向上のために用いることができる材料としては、電子伝導タイプではＰＥＤＯＴ−ＰＳＳ（ＰＥＤＯＴ（Ｐｏｌｙ（３，４−ｅｔｈｙｌｅｎｅｄｉｏｘｙｔｈｉｏｐｈｅｎｅ）；３，４−エチレンジオキシチオフェンポリマー）とＰＳＳ（ｐｏｌｙ（ｓｔｙｒｅｎｅｓｕｌｆｏｎａｔｅ）；スチレンスルホン酸ポリマー）とを共存）などが挙げられ、イオン導電タイプではリチウム塩系材料等が挙げられる。
【００５８】
また、撥水性向上のために用いることができる材料としては、フッ素系化合物等が挙げられる。
【００５９】
基材層２２は、採光シート１を形成するための基材となる層である。従って基材層２２は、透光性を有するとともに採光シート１の変形を防止できるように支持する。かかる観点から、基材層２２を構成する材料の具体例として例えば、アクリル、スチレン、ポリカーボネート、ポリエチレンテレフタレート、アクリロニトリル等のうちの１つ以上を主成分とする透明樹脂や、エポキシアクリレートやウレタンアクリレート系の反応性樹脂（電離放射線硬化型樹脂等）を挙げることができる。
【００６０】
基材層２２の厚さは特に限定されないが、２５μｍ以上３００μｍ以下であることが好ましい。基材層２２の厚さがこの範囲を外れると、加工性に問題を生じる虞がある。例えば、基材層２２が薄過ぎればしわが生じやすくなる。また、基材層２２が厚過ぎれば、採光シート２０を製造する工程のうち中間工程において巻き取りが困難になる。
【００６１】
基材層２２の屈折率は、採光シート１の透過部１１の屈折率と同じであってもよいし、異なっていてもよい。ただし両者間で屈折率差があるとその界面で光が偏向されてしまう可能性が高まるので、同じ材料であること、又は異なる材料であっても屈折率差が小さい、あるいは屈折率差がないことが好ましい。
【００６２】
基材層２２は、その上に設けられる光偏向層１２との密着性を向上させるために、所望により、片面または両面にコロナ放電処理、クロム酸化処理、熱風処理、オゾン・紫外線処理法などの酸化法や、サンドブラスト法、溶剤処理法などの凹凸化法といった、物理的または化学的表面処理を施すことができる。また、基材層２２は、接着性の強化などのためのプライマー層を形成するなどの処理を施してもよい。プライマー層の形成に用いられる材料としては特に限定されず、アクリル樹脂、塩化ビニル／酢酸ビニル共重合体樹脂、ポリエステル樹脂、ポリウレタン樹脂、塩素化ポリプロピレン樹脂、塩素化ポリエチレン樹脂などが挙げられる。プライマー層の厚みは１〜３０ｕｍが好ましく、１〜１０ｕｍがより好ましい。基材層２２の光偏向層形成側表面は平滑であってもよいし、上記サンドブラスト法、溶剤処理法などの凹凸化法といった物理的又は化学的表面処理、またはプライマー層中への球状粒子などの添加により非平滑であってもよい。
【００６３】
接着層２３は、パネル３に採光シート１を接着するための層である。接着層２３を構成する材料としては、パネル３に採光シート１を接着できるものであれば特に限定されず、公知の粘着剤、接着剤、光硬化性樹脂、熱硬化性樹脂等を用いることができる。より具体的な例としては、接着層２３として、例えばアクリル系の粘着剤を用いることができ、さらに具体的にはアクリル系共重合体とイソシアネート化合物とを組み合わせた粘着剤を挙げることができる。ただし、接着層２３を構成する材料は、採光シート１の性質上、透光性、耐候性に優れた材料によることが好ましい。
【００６４】
接着層２３の厚さは特に限定されないが、１０μｍ以上１００μｍ以下であることが好ましい。接着層２３が薄過ぎるとパネル３と採光シート１との密着性が低下する虞がある。また、接着層２３が厚過ぎると該接着層２３の厚さを均一にすることが困難になる。
【００６５】
採光シート１には上記した各層のいずれかに、他の機能を付加させるための構成を備えてもよい。これには例えば、紫外線吸収剤、熱線吸収剤、又は近赤外線吸収剤を添加し、紫外線吸収機能、熱線吸収機能、又は近赤外線吸収機能を備えさせることが考えられる。
【００６６】
近赤外線吸収機能は、近赤外線吸収剤（近赤外線吸収色素）を上記した各層の１つ又は複数に添加したり、塗布したりすることにより向上させることができる。近赤外線吸収色素としては、８００ｎｍ以上１１００ｎｍ以下の波長領域を吸収するものを用いることが好ましい。該波長領域の近赤外線の透過率が２０％以下であることが好ましく、１０％以下であることがさらに好ましい。一方で、近赤外線吸収色素は可視光領域、即ち、３８０ｎｍ以上７８０ｎｍ以下の波長領域で、十分な透過率を有することが好ましい。
【００６７】
紫外線吸収機能は、以下に例示する紫外線吸収剤を上記した各層の１つ又は複数に添加したり、塗布したりすることにより向上させることができる。紫外線吸収剤としては、ベンゾトリアゾール系紫外線吸収剤（ＴＩＮＵＶＩＮ Ｐ、ＴＩＮＵＶＩＮ Ｐ ＦＬ、ＴＩＮＵＶＩＮ ２３４、ＴＩＮＵＶＩＮ ３２６、ＴＩＮＵＶＩＮ ３２６ ＦＬ、ＴＩＮＵＶＩＮ ３２８、ＴＩＮＵＶＩＮ ３２９、ＴＩＮＵＶＩＮ ３２９ ＦＬ、全てＢＡＳＦジャパン株式会社製）や、トリアジン系紫外線吸収剤（ＴＩＮＵＶＩＮ １５７７ ＥＤ、ＢＡＳＦジャパン株式会社製）、ベンゾフェノン系紫外線吸収剤（ＣＨＩＭＡＳＳＯＲＢ ８１、ＣＨＩＭＡＳＳＯＲＢ ８１ ＦＬ、全てＢＡＳＦジャパン株式会社製）、ベンゾエート系紫外線吸収剤（ＴＩＮＵＶＩＮ １２０、ＢＡＳＦジャパン株式会社製）などが挙げられる。
【００６８】
熱線吸収機能は、以下に例示する熱線吸収剤を上記した各層の１つ又は複数に添加したり、塗布したりすることにより向上させることができる。熱線吸収剤としては、アンチモンドープ酸化スズ（ＡＴＯ）またはスズドープ酸化インジウム（ＩＴＯ）、フタロシアニン化合物などの金属酸化物超微粒子などが挙げられる。
【００６９】
以上説明した採光積層体２は例えば次のように製造する。
【００７０】
採光積層体２のうち光偏向層１２は金型ロールを用いる方法により形成することができる。すなわち、円筒状であるロールの外周面に光偏向層１２の光透過部１１を転写可能な凹凸が設けられた金型ロールを準備する。そして金型ロールとこれに対向するように配置されたニップロールとの間に、基材層２２となる基材を挿入する。そして、基材２２のうち一方の面と金型ロールとの間に光透過部１１を構成する組成物を供給しながら金型ロール及びニップロールを回転させる。これにより金型ロールの表面に形成された凹凸の凹部内に光透過部１１を構成する組成物が充填され、該組成物が金型ロールの凹凸の表面形状に沿ったものとなる。
【００７１】
ここで、光透過部１１を構成する組成物としては、上記したものが好ましいが、さらに具体的な例は次の通りである。すなわち、光硬化型プレポリマー（Ｐ１）に、反応性希釈モノマー（Ｍ１）に、必要に応じて高屈折率材料（Ｈ１）、及び光重合開始剤（Ｉ１）を配合した光硬化型樹脂組成物を用いることができる。
【００７２】
上記光硬化型プレポリマー（Ｐ１）としては、例えば、ビスフェノールＡ型、ビスフェノールＦ型、フェノールノボラック型等のエポキシアクリレート系、ヘキサメチレンジイソシアネート、イソホロンジイソシアネート等からなるウレタンアクリレート系、ポリエーテルアクリレート系、ポリエステルアクリレート系、ポリチオール系等のプレポリマーを挙げることができる。
【００７３】
また、上記反応性希釈モノマー（Ｍ１）としては、例えば、ビニルピロリドン、２−フェノキシエチルアクリレート、２−エチルヘキシルアクリレート、β−ヒドロキシアクリレート、テトラヒドロフルフリルアクリレート等の反応性のモノマー、２−ヒドロキシ−３−アクリロイロキシプロピルメタクリレート、ポリエチレングリコールジアクリレート、テトラエチレングリコールジアクリレート、トリメチロールプロパントリアクリレート、ペンタエリスリトールトリアクリレート、ペンタエリスリトールテトラアクリレート等の２官能以上のモノマー等を挙げることができる。
【００７４】
また、上記光重合開始剤（Ｉ１）としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド、ビス（２，４，６−トリメチルベンゾイル）−フェニルホスフィンオキサイド等）、ベンジルジメチルケタール等が挙げられる。これらの中から、光硬化型樹脂組成物を硬化させるための照射装置及び光硬化型樹脂組成物の硬化性から任意に選択することができる。なお、光透過部１１の着色防止の観点から好ましいのは、２−ヒドロキシ−２−メチル−１−フェニルプロパン−１−オン、１−ヒドロキシシクロヘキシルフェニルケトン及びビス（２，４，６−トリメチルベンゾイル）−フェニルホスフィンオキサイドである。
【００７５】
また、上記高屈折率材料（Ｈ１）としては、芳香族を含む材料が挙げられる。ｏ−フェニルフェノールＥＯ変性アクリレート、パラクミルフェノールＥＯ変性アクリレート、ビスフェノールＡジアクリレート等やカルド構造を有する材料が挙げられる。カルド構造を有する材料としては、大阪ガスケミカル社のオグソールＥＡ−０２００等が挙げられる。
【００７６】
これらの光硬化型プレポリマー（Ｐ１）、反応性希釈モノマー（Ｍ１）、高屈折率材料（Ｈ１）、及び光重合開始剤（Ｉ１）は、それぞれ、１種類で、又は２種以上を組み合わせて用いることができる。
【００７７】
金型ロールと基材との間に挟まれ、ここに充填された光透過部１１を構成する組成物に対し、基材側から光照射装置により光を照射する。これにより、光透過部１１を構成する組成物を硬化させ、その形状を固定させることができる。そして、離型ロールにより金型ロールから基材層２２及び成形された光透過部１１を離型する。
【００７８】
次に、光透過部１１の凹部に光偏向部１２を構成する組成物を充填して硬化させることによって、光偏向部１２を形成することができる。このようにして、基材層２２上に光偏向層１２を形成することが可能である。
【００７９】
このようにして形成された光偏向層１２上に接着剤を積層して接着層２３とし、基材層２２にハードコート層２１を接着剤等により貼り付ける、もしくはコーティングにより成膜する。成膜方法は公知の物が使用でき、グラビアコート、バーコート、ロールコート、リバースロールコート、コンマコートなどが用いられる。なお、ハードコート層は光偏向層形成前に設けられていてもよい。これにより採光積層体２となる。
【００８０】
図７は、本実施形態の採光積層体２の１つの光路例を示す。
【００８１】
図７に示す光ＬS3はそのときの太陽高度に基づいて、パネル３に照射される。光ＬS3は、パネル３及び接着層２３を透過し、入射角（水平面からなす角）θIN3で採光シート１に入射する。採光シート１に入射した光ＬS3は、光透過部１１内に屈折して入射する。光透過部１１を透過した光ＬS3は、光透過部１１と光偏向部１２との界面のうち第２上辺１２ｂに達する。このとき、全反射臨界角以上であれば図６のように界面で全反射する。その後、基材層２２及びハードコート層２１を透過する。これにより太陽光が偏向されて、まぶしさの原因となる直達光を抑制することが可能となる。
【００８２】
図８は、本実施形態の採光積層体２の他の光路例を示す。
【００８３】
図８に示す光ＬS4はそのときの太陽高度に基づいて、パネル３に照射される。光ＬS4は、パネル３及び接着層２３を透過し、入射角（水平面からなす角）θIN4で採光シート１に照射される。採光シートに入射した光ＬS4は、光透過部１１内に屈折して入射する。光透過部１１を透過した光ＬS4は、光透過部１１と光偏向部１２との界面のうち第１上辺１２ａに達する。このとき、全反射臨界角以上であれば図８のように界面で全反射する。第１上辺１２ａで全反射した光ＬS1は、再び光透過部１１を透過し、光透過部１１と光偏向部１２との界面のうち第２上辺１２ｂに達する。このとき、全反射臨界角以上であれば図７のように界面で全反射する。その後、基材層２２及びハードコート層２１を透過する。これにより太陽光が偏向されて、まぶしさの原因となる直達光を抑制することが可能となる。
【００８４】
すなわち、図８に示す例では光透過部１１と光偏向部１２との界面の第１上辺１２ａと第２上辺１２ｂで２回太陽光を全反射して偏向し、まぶしさの原因となる直達光を防止している。
【００８５】
以上からわかるように、採光積層体２によれば、第１上辺１２ａの傾斜角θU1と第２上辺１２ｂの傾斜角θU2がθU1＞θU2の関係を有していれば、光ＬS1、ＬS2のように進行角が異なる太陽光の少なくとも一部を全反射で偏向させて室内側に提供することができ、太陽光の室内への入射量を大きく減じることなく、かつ、少なくとも一部の直達光（いわゆる直射日光）をなくすことが可能となる。これにより明るく、快適な室内空間を形成することができる。
【００８６】
図９は、本実施形態の採光積層体２の他の例の層構成を模式的に示す。なお、図９は、パネル面が鉛直になる姿勢で表されており、図９の紙面左が室外側、紙面右が室内側、紙面上方が天側、紙面下方が地側となる。
【００８７】
図９に示す採光積層体２は、図６に示した採光積層体２の接着層２３を強粘着層２３ａ、ベースフィルム２３ｂ、及び弱粘着層２３ｃに分けて製作する。また、ハードコート層２１の基材２２とは反対側に保護フィルム２４を設けてもよい。
【００８８】
強粘着層２３ａは、イソシアネート等の硬化剤を含むアクリル系の材料を使用することが好ましい。弱粘着層２３ｃは、イソシアネート等の硬化剤及びＵＶ吸収材を含むアクリル系の材料を使用することが好ましい。ベースフィルム２３ｂは、ポリエチレンテレフタレート（ＰＥＴ）等でよい。
【００８９】
接着層２３を強粘着層２３ａ、ベースフィルム２３ｂ、及び中粘着層２３ｃに分けることによって、パネル３から採光積層体２を剥がす際に、パネル３に採光積層体２の一部が貼り付いたまま残ることを抑制することが可能となる。
【００９０】
保護フィルム２４は、ポリエチレンテレフタレート（ＰＥＴ）等でよい。
【００９１】
図１０は、本実施形態の採光シート１を合わせガラスＧに適用した例を模式的に示す。なお、図１０は、ガラス面が鉛直になる姿勢で表されており、図１０の紙面左が室外側、紙面右が室内側、紙面上方が天側、紙面下方が地側となる。
【００９２】
図１０に示す合わせガラスＧは、図１に示した採光シート１を２枚のガラスＧの間に設置して構成する。このように、採光シート１を合わせガラスＧに適用することで、生産性と採光性能を両立させたガラスＧとすることが可能となる。
【００９３】
図１１は、本実施形態の採光積層体２を合わせガラスＧに適用した例を模式的に示す。なお、図１１は、ガラス面が鉛直になる姿勢で表されており、図１１の紙面左が室外側、紙面右が室内側、紙面上方が天側、紙面下方が地側となる。
【００９４】
図１１に示すように、合わせガラスＧに、図６に示したような採光積層体２を適用してもよい。
【００９５】
図１１に示す合わせガラスＧは、２枚のガラスＧの間に採光積層体２を設置する。採光積層体２の層構成は、図１に示した採光シート１に加えて、図６に示した基材槽２２、及びハードコート層２１、さらに保護層２５を設けていてもよい。保護層２５は接着層２３と採光シート１間の成分移行による劣化を阻止する目的で設けられ、ポリエチレンテレフタラート（ＰＥＴ）等でよい。また、採光シート１もしくは採光積層体２の室外側、室内側には接着層２３が設けられていてもよい。接着層２３としては、ＥＶＡ、ＰＶＡが好適に用いられる。
【００９６】
このように、採光積層体２を合わせガラスＧに適用することで、生産性と採光性能を両立させた合わせガラスＧとすることが可能となる。このほか、採光積層体２や上記合わせガラス化したものを複層ガラスのうちの１枚として用いることや、採光シート１を軸に巻回、及び展開可能に構成することによりロールアップ採光スクリーンとして用いることも可能である。
【００９７】
以下に採光シート１の各実施例及び比較例を示す。各実施例及び比較例で用いる光透過部１１の屈折率Ｎは１．６０、光偏向部１２の屈折率は１．４７である。
【００９８】
表２は、第１上辺１２ａと第２上辺１２ｂの角度に対する製造適性、跳ね上げ効率、及び跳ね上げ可能な入射角についてまとめたものである。各実施例及び比較例では、光偏向部１２の第１上辺１２ａと第２上辺１２ｂの角度が異なる。
【表２】
2016084752.tif 000004
【００９９】
まず、製造適性について説明する。製造適性は主に金型の製造と成型時の離型性に関する。◎は金型の製造が可能で成型時の離型性が軽い場合、○は金型の製造及び離型性が共に可能である場合、×は金型の製造が困難な場合である。
【０１００】
比較例３は、第２上辺１２ｂの角度が−２°であって、金型の製造が困難となり、製造適性が良くないため、×となっている。
【０１０１】
次に、各入射角における跳ね上げ効率について説明する。各入射角は図２及び図３で示した入射角θINである。そして、跳ね上げ効率とは、入射した光を全て跳ね上げた場合を１とした割合を示す。例えば、本実施形態では、１０°毎の入射角において、跳ね上げ効率が前後の角度と０．２以上の効率差を生じる場合、明るさの変化を感じてしまう。したがって、４０°の場合に跳ね上げ効率０．２４に対して、３０°の場合に跳ね上げ効率０．４９及び５０°の場合に跳ね上げ効率０．４５となる比較例２は本実施形態の実施例には含まれない。
【０１０２】
また、本実施形態では、入射角θINを１０°以上６０°以下と設定している。したがって、表２に示すように、跳ね上げ可能な最大入射角が５６°となる比較例１は、５６°より大きい入射角θINでは跳ね上げできないため、本実施形態の実施例には含まれない。また、跳ね上げ可能な最小入射角が１１°となる比較例４は、１１°より小さい入射角θINでは跳ね上げできないため、本実施形態の実施例には含まれない。
【０１０３】
表３は、下辺１２ｄの角度及びアスペクト比に対する採光性能と生産性についてまとめたものである。各実施例及び比較例では、光偏向部１２の下辺１２ｄの角度及びアスペクト比が異なる。
【表３】
2016084752.tif 000005
【０１０４】
まず、生産性について説明する。製造適性は主に金型の製造と成型時の離型性に関する。◎は金型の製造が可能で成型時の離型性が軽い場合、○は金型の製造及び離型性が共に可能である場合、×は金型の製造が困難な場合である。
【０１０５】
比較例１は、下辺角度θDが１°以上６°以下の範囲外なので、金型成形が困難となり、製造適性が良くないため、×となっている。
【０１０６】
次に、採光性能について説明する。採光性能は、表１で説明した各入射角における跳ね上げ効率の和である。各入射角は図２及び図３で示した入射角θINである。そして、跳ね上げ効率とは、入射した光を全て跳ね上げた場合を１とした割合を示す。本実施形態では、比較例１の採光性能を１００．０とした場合の各例の採光性能を採光性能比として求め、実質的に明るさの変化を感じない８５％以上の採光性能を保持できない場合、本実施形態の実施例には含まれない比較例とする。
【０１０７】
例えば、比較例２は、採光性能比が８３．４％であって、８５％を下回るので、本実施形態の実施例には含まれない。また、比較例３は、採光性能比が８３．０％であって、８５％を下回るので、本実施形態の実施例には含まれない。
【０１０８】
以上、本実施形態の採光シート１によれば、一方の面側に複数の溝が形成され、光を透過する光透過部１１と、光透過部１１の前記複数の溝の内部に形成され、光透過部１１よりも屈折率が低い光偏向部１２と、を有し、光偏向部１２は、上部となる側に第１上辺１２ａと第２上辺１２ｂを有し、下部となる側に下辺１２ｄを有し、第１上辺１２ａと第２上辺１２ｂは、下に凸となるように接続されているので、生産性と採光性能を両立させると共に、季節や時刻による太陽の高度差に対応し、室内全体を明るく、且つ、不自然に暗くなる時間帯を持たせないで、より高い快適性を在室者に与えることが可能となる。
【０１０９】
本実施形態の採光積層体２によれば、下辺１２ｄが光透過部１１の前記一方の面の法線となす角度は、１°以上６°以下であり、光偏向部１２のピッチＰに対する光偏向部１２の法線の方向の長さＤの比率は、２．５以上３．５以下であるので、特に、生産性と採光性能を両立させることが可能となる。
【０１１０】
本実施形態の採光積層体２によれば、光透過部１１の一方の面での法線となす入射角が１０°以上６０°以下の光に対して光偏向部１２が反射する光のうち、最も強く跳ね上げる光の光透過部１１の一方の面での法線となす角度は、１°以上３５°以下であるので、特に、季節や時刻による太陽の高度差に対応し、室内全体を明るく、且つ、不自然に暗くなる時間帯を持たせないで、より高い快適性を在室者に与えることが可能となる。
【０１１１】
本実施形態の採光シート１によれば、第１上辺１２ａの光透過部１１の一方の面での法線となす角度は、１０°以上１２．５°以下であり、第２上辺１２ｂの光透過部１１の一方の面での法線となす角度は、−１．５°以上２．５°以下であるので、簡単な構造で、容易に作製することが可能となる。
【０１１２】
本実施形態の採光積層体２によれば、光を透過するシート状の基材層２２と、基材層２２の一方の面側に形成される採光シート１と、を備えるので、高強度に作製することが可能となる。
【０１１３】
本実施形態の採光積層体２によれば、基材層２２の他方の面側に形成されたハードコート層２１と、採光シート１の基材層２２とは反対の面側に形成された接着層２３と、を備えるので、ガラス等のパネルに簡単に接着することが可能となる。
【０１１４】
以上、採光シート１及び採光積層体２をいくつかの実施例に基づいて説明してきたが、本発明はこれら実施例に限定されず種々の組み合わせ又は変形が可能である。
【符号の説明】
【０１１５】
１…採光シート
１１…光透過部
１２…光偏向部
１２ａ…第１上辺（第１辺）
１２ｂ…第２上辺（第２辺）
１２ｄ…下辺（第３辺）
２…採光積層体
２１…ハードコート層
２２…基材層
２３…接着層
【図１】
2016084752.tif 000006
【図２】
2016084752.tif 000007
【図３】
2016084752.tif 000008
【図４】
2016084752.tif 000009
【図５】
2016084752.tif 000010
【図６】
2016084752.tif 000011
【図７】
2016084752.tif 000012
【図８】
2016084752.tif 000013
【図９】
2016084752.tif 000014
【図１０】
2016084752.tif 000015
【図１１】
2016084752.tif 000016
【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
一方の面から他方の面に光を透過する光透過部と、
前記光透過部に形成された複数の溝の内部に前記光透過部よりも屈折率が低い光偏向部と、
を有し、
前記光偏向部は、前記光偏向部が並ぶ方向の一方側に第１辺と第２辺を有し、他方側に第３辺を有し、
前記第１辺と前記第２辺は、前記光透過部側から前記光偏向部の内側に向かって凸となるように接続され、
前記光透過部と前記光偏向部の屈折率差は０．０７以上である
ことを特徴とする採光シート。
【請求項２】
前記第３辺が前記光透過部の前記一方の面での法線となす角度は、１°以上６°以下であり、
前記光偏向部のピッチに対する前記光偏向部の前記法線の方向の長さの比率は、２．５以上３．５以下である
ことを特徴とする請求項１に記載の採光シート。
【請求項３】
前記光透過部の前記一方の面での法線となす入射角が１０°以上６０°以下の光に対して前記光偏向部が反射する光のうち、最も強く反射する光の前記光透過部の前記一方の面での法線となす角度は、１°以上３５°以下である
ことを特徴とする請求項１又は２に記載の採光シート。
【請求項４】
前記第１辺の前記光透過部の前記一方の面での法線となす角度は、１０°以上１２．５°以下であり、
前記第２辺の前記光透過部の前記一方の面での法線となす角度は、−１．５°以上２．５°以下である
ことを特徴とする請求項１乃至３のいずれか１項に記載の採光シート。
【請求項５】
光を透過するシート状の基材層と、
前記基材層の一方の面に形成される請求項１乃至４のいずれか１項に記載の採光シートと、
を備える
ことを特徴とする採光積層体。
【請求項６】
前記基材層の他方の面側に形成されたハードコート層と、
前記採光シートの前記基材層とは反対の面側に形成された接着層と、
を備える
ことを特徴とする請求項５に記載の採光積層体。
【国際調査報告】
2016084752.tif 000017
2016084752.tif 000018
2016084752.tif 000019
2016084752.tif 000020